(57)【特許請求の範囲】
【請求項１】
複数の制御装置を備え、
各制御装置は、
設定値ＳＰを記憶する設定値記憶手段と、
前記設定値ＳＰと制御量ＰＶとに基づき操作量ＭＶを算出する操作量算出手段と、
前記操作量ＭＶを制御対象に出力する操作量出力手段と、
前記設定値ＳＰをオペレータが適宜変更するための設定値操作手段と、
少なくともオペレータによる前記設定値ＳＰの変更操作が発生したときに、前記設定値記憶手段に記憶されている設定値ＳＰを共有機能手段に通知する設定値通知手段と、
前記共有機能手段から設定値ＳＰの表示に関する指示を受信する表示指示受信手段と、
前記設定値記憶手段に記憶されている設定値ＳＰを、前記共有機能手段から指示された表示状態で表示する設定値表示処理手段とを備え、
前記共有機能手段は、複数の制御装置の外部または複数の制御装置のうちのいずれか１つに設けられ、
前記設定値通知手段からの設定値ＳＰを受信する設定値受信手段と、
この設定値受信手段が設定値ＳＰを受信したときに、設定値ＳＰが同じ値で装置数が最も多い複数の制御装置を多数派として特定する特定手段と、
この特定手段が多数派と特定した制御装置に、多数派であることを表す設定値ＳＰの表示実行の指示を通知するか、前記特定手段が多数派と特定しなかった制御装置に、少数派であることを表す設定値ＳＰの表示実行の指示を通知するかの、少なくともいずれか一方を実行する表示指示通知手段とを備えることを特徴とする制御システム。
【請求項２】
請求項１記載の制御システムにおいて、
前記設定値表示処理手段は、多数派であることを表す設定値ＳＰの表示実行の指示があった場合か、少数派であることを表す設定値ＳＰの表示実行の指示があった場合で、設定値ＳＰの表示色を変えることを特徴とする制御システム。
【請求項３】
請求項１記載の制御システムにおいて、
前記設定値表示処理手段は、多数派であることを表す設定値ＳＰの表示実行の指示があった場合か、少数派であることを表す設定値ＳＰの表示実行の指示があった場合で、設定値ＳＰの背景色を変えることを特徴とする制御システム。
【請求項４】
設定値ＳＰを記憶する設定値記憶手段と、
前記設定値ＳＰと制御量ＰＶとに基づき操作量ＭＶを算出する操作量算出手段と、
前記操作量ＭＶを制御対象に出力する操作量出力手段と、
前記設定値ＳＰをオペレータが適宜変更するための設定値操作手段と、
他の制御装置との通信が可能な共有機能手段と、
少なくともオペレータによる前記設定値ＳＰの変更操作が発生したときに、前記設定値記憶手段に記憶されている設定値ＳＰを前記共有機能手段に通知する設定値通知手段と、
前記共有機能手段から設定値ＳＰの表示に関する指示を受信する表示指示受信手段と、
前記設定値記憶手段に記憶されている設定値ＳＰを、前記共有機能手段から指示された表示状態で表示する設定値表示処理手段とを備え、
前記共有機能手段は、
自装置および他の制御装置の設定値通知手段から設定値ＳＰを受信する設定値受信手段と、
この設定値受信手段が設定値ＳＰを受信したときに、設定値ＳＰが同じ値で装置数が最も多い複数の制御装置を多数派として特定する特定手段と、
この特定手段が多数派と特定した制御装置の表示指示受信手段に、多数派であることを表す設定値ＳＰの表示実行の指示を通知するか、前記特定手段が多数派と特定しなかった制御装置の表示指示受信手段に、少数派であることを表す設定値ＳＰの表示実行の指示を通知するかの、少なくともいずれか一方を実行する表示指示通知手段とを備えることを特徴とする制御装置。
【請求項５】
設定値ＳＰを記憶する設定値記憶手段と、
前記設定値ＳＰと制御量ＰＶとに基づき操作量ＭＶを算出する操作量算出手段と、
前記操作量ＭＶを制御対象に出力する操作量出力手段と、
前記設定値ＳＰをオペレータが適宜変更するための設定値操作手段と、
少なくともオペレータによる前記設定値ＳＰの変更操作が発生したときに、前記設定値記憶手段に記憶されている設定値ＳＰを外部の共有機能手段に通知する設定値通知手段と、
前記共有機能手段から設定値ＳＰの表示に関する指示を受信する表示指示受信手段と、
前記設定値記憶手段に記憶されている設定値ＳＰを、前記共有機能手段から指示された表示状態で表示する設定値表示処理手段とを備え、
前記設定値表示処理手段は、前記共有機能手段が、複数の制御装置の設定値通知手段から受信した設定値ＳＰを基に、設定値ＳＰが同じ値で装置数が最も多い複数の制御装置を多数派と特定して、多数派と特定した制御装置の表示指示受信手段に、多数派であることを表す設定値ＳＰの表示実行の指示を通知したか、多数派と特定しなかった制御装置の表示指示受信手段に、少数派であることを表す設定値ＳＰの表示実行の指示を通知したときに、この共有機能手段からの指示に応じて設定値ＳＰの表示を行なうことを特徴とする制御装置。
【請求項６】
複数の制御装置を用いる制御方法において、
各制御装置が、設定値記憶手段に記憶されている設定値ＳＰと制御量ＰＶとに基づき操作量ＭＶを算出する操作量算出ステップと、
各制御装置が、前記操作量ＭＶを制御対象に出力する操作量出力ステップと、
各制御装置が、少なくともオペレータによる前記設定値ＳＰの変更操作が発生したときに、前記設定値記憶手段に記憶されている設定値ＳＰを、複数の制御装置の外部または複数の制御装置のうちのいずれか１つに設けられた共有機能手段に通知する設定値通知ステップと、
前記共有機能手段が、前記設定値通知ステップで送信された設定値ＳＰを受信する設定値受信ステップと、
前記共有機能手段が、前記設定値受信ステップで受信した設定値ＳＰを基に、設定値ＳＰが同じ値で装置数が最も多い複数の制御装置を多数派として特定する制御装置特定ステップと、
前記共有機能手段が、前記制御装置特定ステップで多数派と特定した制御装置に、多数派であることを表す設定値ＳＰの表示実行の指示を通知するか、多数派と特定しなかった制御装置に、少数派であることを表す設定値ＳＰの表示実行の指示を通知するかの、少なくともいずれか一方を実行する表示指示通知ステップと、
各制御装置が、前記共有機能手段から設定値ＳＰの表示に関する指示を受信する表示指示受信ステップと、
各制御装置が、前記設定値記憶手段に記憶されている設定値ＳＰを、前記共有機能手段から指示された表示状態で表示する設定値表示処理ステップとを含むことを特徴とする制御方法。
【請求項７】
請求項６記載の制御方法において、
前記設定値表示処理ステップは、多数派であることを表す設定値ＳＰの表示実行の指示があった場合か、少数派であることを表す設定値ＳＰの表示実行の指示があった場合で、設定値ＳＰの表示色を変えることを特徴とする制御方法。
【請求項８】
請求項６記載の制御方法において、
前記設定値表示処理ステップは、多数派であることを表す設定値ＳＰの表示実行の指示があった場合か、少数派であることを表す設定値ＳＰの表示実行の指示があった場合で、設定値ＳＰの背景色を変えることを特徴とする制御方法。
【発明の詳細な説明】
【技術分野】
【０００１】
本発明は、例えば複数の温調計などの制御装置が独立に制御ループを構成する制御システムに関するものである。
【背景技術】
【０００２】
スタンドアローンの温調計（原則として１個のＰＩＤ演算機能と１個分の表示機能と操作パネルが１台に収納されている温調計）を多数使用するときがある。例えば図８に示す例は、加熱処理炉１００の内部の温度ＰＶを温調計Ｃ１〜Ｃ８によって制御する加熱装置の構成例である。温度センサＳ１〜Ｓ８は、それぞれヒータＨ１〜Ｈ８によって加熱される温度制御ゾーンＺ１〜Ｚ８の温度ＰＶを測定する。温調計Ｃ１〜Ｃ８は、それぞれ温度センサＳ１〜Ｓ８によって測定された温度ＰＶが温度設定値ＳＰと一致するように操作量ＭＶを算出する。電力調整器Ｐ１〜Ｐ８は、それぞれ温調計Ｃ１〜Ｃ８から出力された操作量ＭＶに応じた電力をヒータＨ１〜Ｈ８に供給する。この図８に示した温度制御系においては、各温調計Ｃ１〜Ｃ８がそれぞれ対応する温度制御ゾーンＺ１〜Ｚ８の温度ＰＶを独立に制御する制御ループが８個形成されていることになる。
【０００３】
温調計には、予め設定され記憶される必要があるパラメータが存在する。したがって、ＰＣローダ（ソフトウェア）を使用して多数の温調計のパラメータ事前設定を行なう場合について、作業効率を改善する努力が行なわれている（特許文献１参照）。
【先行技術文献】
【特許文献】
【０００４】
【特許文献１】特開２００９−１９３５０６号公報
【発明の概要】
【発明が解決しようとする課題】
【０００５】
予め設定されるパラメータではなく、温調計を実装した製造装置などの実稼動中における操作結果の確認についても、その作業効率のさらなる改善が求められている。実稼動中の代表的な操作としては、設定値ＳＰの変更がある。特許文献１に開示された技術では、ＰＣローダと温調計の繋ぎ換えを検出したときに、オペレータによるパラメータの設定作業を支援するようにしているが、複数の温調計に対して設定値ＳＰの変更作業を実施する場合、同じ設定値ＳＰ変更操作を温調計の数だけ繰り返すことになるので、同じ設定値ＳＰ変更操作を繰り返した後は、変更ミス（変更し損ないなど）を見落とす危険性がある。
なお、以上の問題は温調計に限らず、複数の制御装置を用いる制御システムにおいて同様に発生する。
【０００６】
本発明は、上記課題を解決するためになされたもので、複数の制御装置の実稼動中における設定値ＳＰの操作結果の確認について、その作業効率を改善することができる制御システムおよび制御方法を提供することを目的とする。ただし、製造装置における操作は、予め計画されていないことを前提とする。
【課題を解決するための手段】
【０００７】
本発明の制御システムは、複数の制御装置を備え、各制御装置は、設定値ＳＰを記憶する設定値記憶手段と、前記設定値ＳＰと制御量ＰＶとに基づき操作量ＭＶを算出する操作量算出手段と、前記操作量ＭＶを制御対象に出力する操作量出力手段と、前記設定値ＳＰをオペレータが適宜変更するための設定値操作手段と、少なくともオペレータによる前記設定値ＳＰの変更操作が発生したときに、前記設定値記憶手段に記憶されている設定値ＳＰを共有機能手段に通知する設定値通知手段と、前記共有機能手段から設定値ＳＰの表示に関する指示を受信する表示指示受信手段と、前記設定値記憶手段に記憶されている設定値ＳＰを、前記共有機能手段から指示された表示状態で表示する設定値表示処理手段とを備え、前記共有機能手段は、複数の制御装置の外部または複数の制御装置のうちのいずれか１つに設けられ、前記設定値通知手段からの設定値ＳＰを受信する設定値受信手段と、この設定値受信手段が設定値ＳＰを受信したときに、設定値ＳＰが同じ値で装置数が最も多い複数の制御装置を多数派として特定する特定手段と、この特定手段が多数派と特定した制御装置に、多数派であることを表す設定値ＳＰの表示実行の指示を通知するか、前記特定手段が多数派と特定しなかった制御装置に、少数派であることを表す設定値ＳＰの表示実行の指示を通知するかの、少なくともいずれか一方を実行する表示指示通知手段とを備えることを特徴とするものである。
【０００８】
また、本発明の制御システムの１構成例において、前記設定値表示処理手段は、多数派であることを表す設定値ＳＰの表示実行の指示があった場合か、少数派であることを表す設定値ＳＰの表示実行の指示があった場合で、設定値ＳＰの表示色を変えることを特徴とするものである。
また、本発明の制御システムの１構成例において、前記設定値表示処理手段は、多数派であることを表す設定値ＳＰの表示実行の指示があった場合か、少数派であることを表す設定値ＳＰの表示実行の指示があった場合で、設定値ＳＰの背景色を変えることを特徴とするものである。
【０００９】
また、本発明の制御装置は、設定値ＳＰを記憶する設定値記憶手段と、前記設定値ＳＰと制御量ＰＶとに基づき操作量ＭＶを算出する操作量算出手段と、前記操作量ＭＶを制御対象に出力する操作量出力手段と、前記設定値ＳＰをオペレータが適宜変更するための設定値操作手段と、他の制御装置との通信が可能な共有機能手段と、少なくともオペレータによる前記設定値ＳＰの変更操作が発生したときに、前記設定値記憶手段に記憶されている設定値ＳＰを前記共有機能手段に通知する設定値通知手段と、前記共有機能手段から設定値ＳＰの表示に関する指示を受信する表示指示受信手段と、前記設定値記憶手段に記憶されている設定値ＳＰを、前記共有機能手段から指示された表示状態で表示する設定値表示処理手段とを備え、前記共有機能手段は、自装置および他の制御装置の設定値通知手段から設定値ＳＰを受信する設定値受信手段と、この設定値受信手段が設定値ＳＰを受信したときに、設定値ＳＰが同じ値で装置数が最も多い複数の制御装置を多数派として特定する特定手段と、この特定手段が多数派と特定した制御装置の表示指示受信手段に、多数派であることを表す設定値ＳＰの表示実行の指示を通知するか、前記特定手段が多数派と特定しなかった制御装置の表示指示受信手段に、少数派であることを表す設定値ＳＰの表示実行の指示を通知するかの、少なくともいずれか一方を実行する表示指示通知手段とを備えることを特徴とするものである。
【００１０】
また、本発明の制御装置は、設定値ＳＰを記憶する設定値記憶手段と、前記設定値ＳＰと制御量ＰＶとに基づき操作量ＭＶを算出する操作量算出手段と、前記操作量ＭＶを制御対象に出力する操作量出力手段と、前記設定値ＳＰをオペレータが適宜変更するための設定値操作手段と、少なくともオペレータによる前記設定値ＳＰの変更操作が発生したときに、前記設定値記憶手段に記憶されている設定値ＳＰを外部の共有機能手段に通知する設定値通知手段と、前記共有機能手段から設定値ＳＰの表示に関する指示を受信する表示指示受信手段と、前記設定値記憶手段に記憶されている設定値ＳＰを、前記共有機能手段から指示された表示状態で表示する設定値表示処理手段とを備え、前記設定値表示処理手段は、前記共有機能手段が、複数の制御装置の設定値通知手段から受信した設定値ＳＰを基に、設定値ＳＰが同じ値で装置数が最も多い複数の制御装置を多数派と特定して、多数派と特定した制御装置の表示指示受信手段に、多数派であることを表す設定値ＳＰの表示実行の指示を通知したか、多数派と特定しなかった制御装置の表示指示受信手段に、少数派であることを表す設定値ＳＰの表示実行の指示を通知したときに、この共有機能手段からの指示に応じて設定値ＳＰの表示を行なうことを特徴とするものである。
【００１１】
また、本発明は、複数の制御装置を用いる制御方法において、各制御装置が、設定値記憶手段に記憶されている設定値ＳＰと制御量ＰＶとに基づき操作量ＭＶを算出する操作量算出ステップと、各制御装置が、前記操作量ＭＶを制御対象に出力する操作量出力ステップと、各制御装置が、少なくともオペレータによる前記設定値ＳＰの変更操作が発生したときに、前記設定値記憶手段に記憶されている設定値ＳＰを、複数の制御装置の外部または複数の制御装置のうちのいずれか１つに設けられた共有機能手段に通知する設定値通知ステップと、前記共有機能手段が、前記設定値通知ステップで送信された設定値ＳＰを受信する設定値受信ステップと、前記共有機能手段が、前記設定値受信ステップで受信した設定値ＳＰを基に、設定値ＳＰが同じ値で装置数が最も多い複数の制御装置を多数派として特定する制御装置特定ステップと、前記共有機能手段が、前記制御装置特定ステップで多数派と特定した制御装置に、多数派であることを表す設定値ＳＰの表示実行の指示を通知するか、多数派と特定しなかった制御装置に、少数派であることを表す設定値ＳＰの表示実行の指示を通知するかの、少なくともいずれか一方を実行する表示指示通知ステップと、各制御装置が、前記共有機能手段から設定値ＳＰの表示に関する指示を受信する表示指示受信ステップと、各制御装置が、前記設定値記憶手段に記憶されている設定値ＳＰを、前記共有機能手段から指示された表示状態で表示する設定値表示処理ステップとを含むことを特徴とするものである。
【発明の効果】
【００１２】
本発明によれば、各制御装置が、少なくともオペレータによる設定値ＳＰの変更操作が発生したときに設定値ＳＰを共有機能手段に通知し、共有機能手段が、受信した設定値ＳＰを基に、設定値ＳＰが同じ値で装置数が最も多い複数の制御装置を多数派として特定し、多数派と特定した制御装置に、多数派であることを表す設定値ＳＰの表示実行の指示を通知するか、多数派と特定しなかった制御装置に、少数派であることを表す設定値ＳＰの表示実行の指示を通知するかの、少なくともいずれか一方を実行するので、多数派と少数派で設定値ＳＰの表示状態を変えることができ、誤操作の確認を容易に行なうことができる。その結果、本発明では、設定値ＳＰの操作結果の確認について、作業効率を改善することができる。
【図面の簡単な説明】
【００１３】
【図１】本発明の実施の形態に係る制御システムの主要部の構成を示すブロック図である。
【図２】本発明の実施の形態に係る温調計の制御動作を示すフローチャートである。
【図３】本発明の実施の形態に係る温調計の設定値変更時の動作を示すフローチャートである。
【図４】本発明の実施の形態に係る共有機能装置の設定値変更時の動作を示すフローチャートである。
【図５】温調計の前面パネルの例を示す正面図である。
【図６】従来の温調計の前面パネルに表示される設定値の表示状態の例を示す図である。
【図７】本発明の実施の形態に係る温調計の前面パネルに表示される設定値の表示状態の例を示す図である。
【図８】８個の温度制御ゾーンを備える加熱装置の構成を示すブロック図である。
【発明を実施するための形態】
【００１４】
［発明の原理］
発明者は、設定値ＳＰ変更操作について、鋭意研究の結果、下記のような傾向を突き止めた。
図８のようなケースにおいては、スタンドアローンの全温調計が、原則として同時・同温度の設定値ＳＰ変更となる場合が多い。一方で、特殊なケースにおいては原則通りとは限らないので、同時・同温度の設定値ＳＰ変更に限定される機能（全自動方式などの機能）は好ましくない。ただし、原則通りではない場合であっても、１〜２台を除いて同時・同温度の設定値ＳＰ変更というように、ほぼ原則通りという場合もある。
【００１５】
発明者は、上記のような生産現場での利用実態を前提としたとき、同時・同温度の設定値ＳＰ変更が多いこと（多数派）により、温調計が設定値ＳＰの多数派と少数派に分かれたときに、多数派と少数派の表示状態を異なるものにすればよいことに想到した。多数派と少数派という分け方にすることで、同時・同温度になるべき設定値ＳＰを予め規定する必要もなく、同時・同温度になるべき温調計を予め限定する必要もなくなる。
【００１６】
［実施の形態］
以下、本発明の実施の形態について図面を参照して説明する。本発明では、図８に示したように、スタンドアローンの温調計を多数（図８の例では８個の制御ループ分）使用する製造装置（図８の例では加熱装置）などの制御システムを適用対象とする。温調計同士を連携させる機能は温調計の内部に設けてもよいが、本実施の形態では各温調計の外部に共有機能装置として設ける形態として説明する。
【００１７】
図１は本実施の形態に係る制御システムの主要部の構成を示すブロック図である。制御システムは、複数の温調計（制御装置）Ｃ１〜Ｃ８と、共有機能装置ＦＵ（共有機能手段）とを備えている。温調計Ｃ１〜Ｃ８に接続される電力調整器Ｐ１〜Ｐ８、ヒータＨ１〜Ｈ８、温度センサＳ１〜Ｓ８などの構成は図８に示したとおりであるので、図１では記載を省略する。
【００１８】
温調計Ｃ１は、設定値ＳＰを記憶する設定値記憶部１０と、制御量ＰＶを計測器から入力する制御量入力部１１と、ＰＩＤ制御演算により設定値ＳＰと制御量ＰＶに基づき操作量ＭＶを算出する操作量算出部１２と、操作量ＭＶを温調計外部に出力する操作量出力部１３と、設定値ＳＰをオペレータが適宜変更するための設定値操作部１４と、少なくともオペレータによる設定値ＳＰの変更操作が発生したときに、設定値記憶部１０に記憶されている設定値ＳＰを共有機能装置ＦＵに通知する設定値通知部１５と、共有機能装置ＦＵから設定値ＳＰの表示に関する指示を受信する表示指示受信部１６と、設定値記憶部１０に記憶されている設定値ＳＰを、共有機能装置ＦＵから指示された表示状態で表示する設定値表示処理部１７とを有する。図１では、温調計Ｃ１の構成を示しているが、他の温調計Ｃ２〜Ｃ８の構成も温調計Ｃ１と同一である。
【００１９】
共有機能装置ＦＵは、設定値ＳＰを受信する設定値受信部２０と、設定値受信部２０が設定値ＳＰを受信したときに、設定値ＳＰが同じ値で装置数が最も多い複数の温調計を多数派として特定する温調計特定部２１と、温調計特定部２１が多数派と特定した温調計に、多数派であることを表す設定値ＳＰの表示実行の指示を通知すると共に、多数派と特定しなかった温調計に、少数派であることを表す設定値ＳＰの表示実行の指示を通知する表示指示通知部２２とを有する。
【００２０】
以下、本実施の形態の制御システムの動作について説明する。まず、各温調計Ｃ１〜Ｃ８の制御動作を図２を参照して説明する。
制御量ＰＶ（温度）は、計測器（図８の例では温度センサＳ１〜Ｓ８）によって計測され、制御量入力部１１を介して操作量算出部１２に入力される（図２ステップＳ１００）。
【００２１】
操作量算出部１２は、設定値記憶部１０に記憶されている設定値ＳＰと制御量入力部１１から入力された制御量ＰＶに基づいて、周知のＰＩＤ制御演算により操作量ＭＶを算出する（図２ステップＳ１０１）。
操作量出力部１３は、操作量算出部１２によって算出された操作量ＭＶを制御対象に出力する（図２ステップＳ１０２）。温調計Ｃｉ（ｉ＝１〜８）においては、電力調整器Ｐｉが操作量ＭＶの実際の出力先となる。
【００２２】
各温調計Ｃ１〜Ｃ８は、以上のようなステップＳ１００〜Ｓ１０２の処理を例えばオペレータの指示によって制御が終了するまで（図２ステップＳ１０３においてＹＥＳ）、温調計毎および制御周期毎に実行する。
【００２３】
次に、本実施の形態の制御システムの設定値ＳＰ変更時の動作について説明する。図３は温調計Ｃ１〜Ｃ８の動作を示すフローチャート、図４は共有機能装置ＦＵの動作を示すフローチャートである。
【００２４】
オペレータは、必要に応じて、温調計の設定値操作部１４を操作することにより、この温調計の設定値ＳＰを変更する（図３ステップＳ２００）。この操作により、設定値記憶部１０に記憶されている設定値ＳＰは、オペレータが設定値操作部１４から入力した値に更新される（図３ステップＳ２０１）。
【００２５】
各温調計Ｃ１〜Ｃ８の設定値表示処理部１７は、設定値ＳＰの変更操作が発生した場合、自装置の表示部に表示させている設定値ＳＰを、変更された値に更新する（図３ステップＳ２０２）。図５に示すように各温調計Ｃ１〜Ｃ８の前面パネル３０には、制御量ＰＶの表示のための表示部３１と、設定値ＳＰの表示のための表示部３２と、複数の操作ボタン３３とが設けられている。これら操作ボタン３３のうち少なくとも一部が設定値操作部１４を構成している。設定値表示処理部１７は、制御量入力部１１から入力された制御量ＰＶを表示部３１に表示させると共に、設定値記憶部１０に記憶されている設定値ＳＰを表示部３２に表示させる。
【００２６】
各温調計Ｃ１〜Ｃ８の設定値通知部１５は、設定値ＳＰの変更操作が発生した場合、共有機能装置ＦＵに対して、変更された時点（変更後）で設定値記憶部１０に記憶されている設定値ＳＰを通知する（図３ステップＳ２０３）。
【００２７】
なお、本実施の形態では、設定値ＳＰの変更操作が行なわれたときに、共有機能装置ＦＵに設定値ＳＰを通知するようにしているが、設定値ＳＰの変更操作の有無とは無関係に、常時（毎制御周期）通知するようにしてもよい。設定値ＳＰの常時通知をしない場合には、設定値ＳＰの初期状態を知らせるため、各温調計Ｃ１〜Ｃ８の設定値通知部１５が、温調計Ｃ１〜Ｃ８の起動時に、初期状態の設定値ＳＰを共有機能装置ＦＵに通知することが好ましい。
【００２８】
次に、共有機能装置ＦＵの温調計特定部２１は、設定値受信部２０が温調計Ｃ１〜Ｃ８からの設定値ＳＰを受信すると（図４ステップＳ３００においてＹＥＳ）、設定値ＳＰが同じ値で装置数が最も多い複数の温調計を多数派として特定する（図４ステップＳ３０１）。
【００２９】
共有機能装置ＦＵの表示指示通知部２２は、温調計Ｃ１〜Ｃ８のうち、温調計特定部２１が多数派と特定した温調計に、多数派であることを表す設定値ＳＰの表示実行の指示を通知する（図４ステップＳ３０２）。
また、表示指示通知部２２は、温調計Ｃ１〜Ｃ８のうち、温調計特定部２１が多数派と特定しなかった温調計（少数派の温調計）に、少数派であることを表す設定値ＳＰの表示実行の指示を通知する（図４ステップＳ３０３）。
【００３０】
次に、各温調計Ｃ１〜Ｃ８の設定値表示処理部１７は、表示指示受信部１６が共有機能装置ＦＵからの指示を受信したときに、多数派であることを表す設定値ＳＰの表示実行の指示であれば（図３ステップＳ２０４）、この指示に従って設定値ＳＰの表示状態を、多数派であることを表す表示状態とする（図３ステップＳ２０５）。なお、少数派であることについての処理を省略して、多数派であることについての処理のみ実行してもよく、その場合は、多数派であることを表す表示状態は、指示を受信しない温調計とは確実に異なる表示状態になるようにすればよい。
【００３１】
また、各温調計Ｃ１〜Ｃ８の設定値表示処理部１７は、表示指示受信部１６が共有機能装置ＦＵからの指示を受信したときに、少数派であることを表す設定値ＳＰの表示実行の指示であれば（図３ステップＳ２０６）、この指示に従って設定値ＳＰの表示状態を、少数派であることを表す表示状態とする（図３ステップＳ２０７）。なお、多数派であることについての処理を省略して、少数派であることについての処理のみ実行してもよく、その場合は、少数派であることを表す表示状態は、指示を受信しない温調計とは確実に異なる表示状態になるようにすればよい。
【００３２】
例えば、多数派であることを表す方法としては、設定値ＳＰを黄色系統で表示する方法が考えられ、少数派であることを表す方法としては、設定値ＳＰを桃色系統で表示する方法が考えられる。ただし、これに限られず、多数派と少数派で背景色を変えるなどの方法も考えられる。
以上の図３、図４で説明した処理を必要に応じて繰り返すことにより、多数派と少数派で設定値ＳＰの表示状態を変えることができる。
【００３３】
なお、全ての温調計の設定値ＳＰが同じ値である場合には、多数派を特定できないので、ステップＳ３０２，Ｓ３０３の処理は実施されない。
また、設定値ＳＰが第１の値である温調計のグループと、設定値ＳＰが第２の値である温調計のグループといった例のように設定値ＳＰが異なる複数のグループがあって、これら複数のグループに含まれる温調計のそれぞれの数が同数である場合にも、多数派を特定できない。
【００３４】
共有機能装置ＦＵの表示指示通知部２２は、温調計特定部２１が多数派を特定できていた状態から特定できない状態に移行した場合には、直前まで多数派と特定されていた温調計に、多数派であることを表す設定値ＳＰの表示解除の指示を通知し、直前まで少数派と特定されていた温調計に、少数派であることを表す設定値ＳＰの表示解除の指示を通知するようにしてもよい。この通知により、多数派の表示状態にしていた温調計の設定値表示処理部１７は、設定値ＳＰの表示状態を通常の状態（多数派、少数派の区別がない状態）に戻し、少数派の表示状態にしていた温調計の設定値表示処理部１７も、設定値ＳＰの表示状態を通常の状態に戻す。
【００３５】
［操作例］
次に、具体的な操作例について説明する。ここでは、図８に示した加熱装置において、初期状態として温調計Ｃ１〜Ｃ８の設定値ＳＰが、全て３０℃（常温）であったとする。このとき、温調計Ｃ１〜Ｃ８の設定値ＳＰを１８０℃（同時・同温度）に変更するケースを事例とする。なお、各温調計Ｃ１〜Ｃ８の制御機能は図２で説明したとおり常に動作しているので、説明を省略する。
【００３６】
温調計Ｃ１〜Ｃ８の設定値ＳＰを、オペレータが１８０℃に変更する。ただし、誤って温調計Ｃ６の設定値ＳＰを１６０℃に変更してしまうものとする。この場合、設定値ＳＰが１８０℃の温調計Ｃ１〜Ｃ５，Ｃ７，Ｃ８が多数派として特定され、設定値ＳＰが１６０℃の温調計Ｃ６が少数派として特定される。
この特定に応じて、温調計Ｃ１〜Ｃ５，Ｃ７，Ｃ８の設定値ＳＰが黄色系統で表示され、温調計Ｃ６の設定値ＳＰが桃色系統で表示される。
【００３７】
８台の温調計Ｃ１〜Ｃ８の前面パネル３０−１〜３０−８に表示される設定値ＳＰの表示状態の例を図６、図７に示す。図６は本実施の形態を適用しない場合を示し、図７は本実施の形態を適用した場合を示している。本実施の形態を適用しない場合、温調計Ｃ６の前面パネル３０−６に表示される設定値ＳＰの値「１６０」は、他の温調計Ｃ１〜Ｃ５，Ｃ７，Ｃ８の前面パネル３０−１〜３０−５，３０−７，３０−８に表示される設定値ＳＰの値「１８０」と同じ色で表示されるので、識別し難い。
【００３８】
一方、本実施の形態を適用した場合、温調計Ｃ６の前面パネル３０−６に表示される設定値ＳＰの値「１６０」は、他の温調計Ｃ１〜Ｃ５，Ｃ７，Ｃ８の前面パネル３０−１〜３０−５，３０−７，３０−８に表示される設定値ＳＰの値「１８０」と異なる色で表示される。「１８０」と「１６０」のように、特に数字形状が似ているケースでは色分けが有効である。
【００３９】
以上のように、本来、温調計Ｃ１〜Ｃ８の設定値ＳＰを全て１８０℃に変更したつもりであるときに、誤って１６０℃に変更してしまった温調計Ｃ６の設定値ＳＰのみが桃色系統で表示されるので、誤操作の確認が容易にできることになる。
多数派と少数派という着眼なので、製造装置における操作は、予め計画されていないことを前提にできる。すなわち、予め規定された温度帯で設定値ＳＰの色分けするような方法とは異なり、「１８０」と「１８２」のような識別や「２８０」と「３８０」のような識別が可能である。
【００４０】
また、全温調計が同時・同温度の設定値ＳＰ変更となる場合において、誤って１台を異なる設定値ＳＰにしてしまうケースだけではなく、逆に１台を除いて同時・同温度の設定値ＳＰ変更となる場合において、誤って全温調計を同じ設定値ＳＰにしてしまうケースでも、確認作業の効率を改善できることになる。
【００４１】
なお、本実施の形態では、共有機能装置ＦＵを各温調計Ｃ１〜Ｃ８の外部に設けるものとして説明したが、例えば代表機種となるいずれか１つの温調計に、共有機能装置ＦＵと同様の構成を有する共有機能手段を内蔵するようにしてもよい。全ての温調計が共有機能手段を備える必要はない。
【００４２】
本実施の形態で説明した温調計Ｃ１〜Ｃ８の各々は、ＣＰＵ（Central Processing Unit）、記憶装置及びインタフェースを備えたコンピュータと、これらのハードウェア資源を制御するプログラムによって実現することができる。各温調計のＣＰＵは、各々の温調計の記憶装置に格納されたプログラムに従って本実施の形態で説明した処理を実行する。
【００４３】
また、本実施の形態のように共有機能装置ＦＵを各温調計Ｃ１〜Ｃ８の外部に設ける場合、共有機能装置ＦＵも別のコンピュータによって実現することができる。共有機能装置ＦＵのＣＰＵは、共有機能装置ＦＵの記憶装置に格納されたプログラムに従って本実施の形態で説明した処理を実行する。
【産業上の利用可能性】
【００４４】
本発明は、複数の制御装置を用いる制御システムに適用することができる。
【符号の説明】
【００４５】
Ｃ１〜Ｃ８…温調計、ＦＵ…共有機能装置、１０…設定値記憶部、１１…制御量入力部、１２…操作量算出部、１３…操作量出力部、１４…設定値操作部、１５…設定値通知部、１６…表示指示受信部、１７…設定値表示処理部、２０…設定値受信部、２１…温調計特定部、２２…表示指示通知部。
【図１】
0006296998.tif 000002
【図２】
0006296998.tif 000003
【図３】
0006296998.tif 000004
【図４】
0006296998.tif 000005
【図５】
0006296998.tif 000006
【図６】
0006296998.tif 000007
【図７】
0006296998.tif 000008
【図８】
0006296998.tif 000009